(57)【要約】【課題】  １個の機能について複数個のユーザ選択肢があり、各放送モードにおいて有効なユーザ選択肢が異なり、かつ各放送モードにおいてどのユーザ選択肢をユーザ選択するかがユーザに委ねられている状況に、合理的に対処できる放送受信機５５を提供する。【解決手段】  放送受信機５５は、１個の搬送周波数を割り当てられて所定の伝送モードで送信されて来る受信放送に対し、該受信放送の放送内容を出力可能となっている。放送モード検出手段５６は、現在選択中の受信放送の伝送モード及び該伝送モードの放送モードを検出する。選択肢選出手段５７は、伝送モードに対して用意されている所定機能に係るユーザ選択肢の内、現在選択中の受信放送の放送モードにおいて有効であるものを有効ユーザ選択肢として選出する。ユーザ選択制限手段５８は、ユーザ選択自在のユーザ選択肢を有効ユーザ選択肢に制限する。【選択図】      図５
2006319911.tif 000002
【特許請求の範囲】
【請求項１】
１個の搬送周波数を割り当てられて所定の伝送モードで送信されて来る受信放送に対し、該受信放送の放送内容を出力可能となっている放送受信機において、
現在選択中の受信放送の伝送モード及び該伝送モードの放送モードを検出する放送モード検出手段、
伝送モードに対して用意されている所定機能に係るユーザ選択肢の内、現在選択中の受信放送の放送モードにおいて有効であるものを有効ユーザ選択肢として選出するユーザ選択肢選出手段、及び
ユーザ選択自在のユーザ選択肢を有効ユーザ選択肢のみに制限するユーザ選択制限手段、
を有していることを特徴とする放送受信機。
【請求項２】
所定の伝送モードの放送モードは、アナログ放送のみを含む第１の放送モード、アナログ放送とデジタル放送とを１個ずつ含む第２の放送モード、デジタル放送のみを含む第３の放送モード、１個のアナログ放送と複数個のデジタル放送とを含む第４の放送モード、及びアナログ放送とデジタル放送とを１個ずつ含むがアナログ放送を優先して出力するべき第５の放送モードを含むことを特徴とする請求項１記載の放送受信機。
【請求項３】
所定の機能に係る前記ユーザ選択肢は、現在選択中の受信放送の中のデジタル放送を選択して出力する強制デジタル、現在選択中の受信放送の中のアナログ放送を選択して出力する強制アナログ、及び現在選択中の受信放送の中のデジタル放送の出力に支障がなければデジタル放送をアナログ放送より優先して出力する自動切替を含むことを特徴とする請求項２記載の放送受信機。
【請求項４】
所定の機能に係る前記ユーザ選択肢は、現在出力中の放送内容に係る情報を表示器に表示するときの行数に係るユーザ選択肢であることを特徴とする請求項２記載の放送受信機。
【請求項５】
現在の放送モードに対して有効な複数個のユーザ選択肢の内、最も推奨されるユーザ選択肢をユーザに通知する最推奨選択肢通知手段、
を有していることを特徴とする請求項１〜４のいずれかに記載の放送受信機。
【請求項６】
現在選択中の受信放送の変更、現在選択中の受信放送の伝送モードの変化、又は現在選択中の受信放送の受信環境の悪化に伴い、現在、ユーザ選択されているユーザ選択肢が不適正なユーザ選択肢となったことを検出する第１の状況変化検出手段、及び
現在、ユーザ選択されているユーザ選択肢が不適正なユーザ選択肢となったことをユーザに通知する第１の状況変化通知手段、
を有していることを特徴とする請求項１〜５のいずれかに記載の放送受信機。
【請求項７】
現在選択中の受信放送の変更、現在選択中の受信放送の伝送モードの変化、又は現在選択中の受信放送の受信環境の改善に伴い、現在、ユーザ選択されているユーザ選択肢より適正なユーザ選択肢が出現したことを検出する第２の状況変化検出手段、及び
現在、ユーザ選択されているユーザ選択肢より適正なユーザ選択肢が出現したことをユーザに通知する第２の状況変化通知手段、
を有していることを特徴とする請求項１〜６のいずれかに記載の放送受信機。
【請求項８】
同一の伝送モードに属する複数個の放送モードを分類分けし各分類ごとに該分類の放送モードに対して有効な複数個のユーザ選択肢を有効分類別ユーザ選択肢としてあらかじめ設定してあり、
前記ユーザ選択肢選出手段は、現在選択中の受信放送の放送モードの分類を検出して、該分類に係る有効分類別ユーザ選択肢を有効ユーザ選択肢として選択するものであることを特徴とする請求項１〜７のいずれかに記載の放送受信機。
【請求項９】
１個の搬送周波数を割り当てられて所定の伝送モードで送信されて来る受信放送に対し、該受信放送の放送内容を出力可能となっている放送受信機の制御方法において、
現在選択中の受信放送の伝送モード及び該伝送モードの放送モードを検出し、
伝送モードに対して用意されている所定機能に係るユーザ選択肢の内、現在選択中の受信放送の放送モードにおいて有効であるものを有効ユーザ選択肢として選出し、
ユーザ選択自在のユーザ選択肢を有効ユーザ選択肢のみに制限する、
ことを特徴とする放送受信機用制御方法。
【請求項１０】
請求項１〜９のいずれかに記載の放送受信機の各手段としてコンピュータを機能させるためのプログラム。
【発明の詳細な説明】
【技術分野】
【０００１】
本発明は、例えばＨＤ（High Definition）ラジオ等の放送受信機、該ラジオ等に適用される放送受信機用制御方法及びプログラムに係り、詳しくはユーザ選択肢のユーザ選択を改善した放送受信機、放送受信機用制御方法及びプログラムに関するものである。
【背景技術】
【０００２】
ラジオやテレビ等の放送受信機は、複数個の伝送モード（例：ＡＭ、ＦＭ、ＶＨＦ及び衛星放送）に対応し、各伝送モードの放送を受信して、オーディオ及び／又は映像を出力可能としているものがある。放送受信機は、種々の機能を装備するが、伝送モードごとに使用する機能は異なっている。さらに、伝送モードは、複数個の放送モード（例：伝送モードがＩＢＯＣである場合のＩＢＯＣ放送やＴＲ放送等。ＩＢＯＣ放送及びＴＲ放送等については後述。）を含み、各機能についての各伝送モードにおけるユーザ選択肢は、全放送モードに共通に有効であるもの、及び所定の１個以上の放送モードのみにしか有効にならないものが混在する。
【０００３】
特許文献１は、選択中のデジタル放送についてそれが現在放送している番組が、音楽放送であるか音声放送であるかをＭ／Ｓモード情報から検出して、音楽放送及び音声放送のそれぞれに対して適切な音量に自動切替えすることを開示する。
【０００４】
特許文献２は、選択中のデジタル放送についてそれが現在放送している番組のジャンル（例：特許文献２の図２）を検出し、音場を各番組のジャンルに適したものへ切替えることを開示している。
【０００５】
特許文献３は、選択中のデジタルテレビ放送についてそれが現在放送している番組のジャンル（例：特許文献２の図２のアニメ等）を検出し、出力映像及び出力音声を各番組のジャンルに適したものへ切替えることを開示する。
【特許文献１】特開平６−１３９２５号公報
【特許文献２】特開２００２−３１４４４７号公報
【特許文献３】特開２００２−１１８７６９号公報
【発明の開示】
【発明が解決しようとする課題】
【０００６】
従来の放送受信機では、伝送モードが複数個の放送モードを含む場合、ユーザは、現在、選択している受信放送の放送モードを表示器の表示情報等に基づき把握し、各機能について該放送モードの有効ユーザ選択肢は何であるかを自分の知識に基づき判断し、有効なユーザ選択肢の中から自分の好みのユーザ選択肢を選択するようになっており、放送モードの把握及び各放送モードごとの有効ユーザ選択肢の知識が必要となり、ユーザの負担が増大し、かつ間違ったユーザ選択が起こり易かった。
【０００７】
機能をオンにするかオフにするかの処理であれば、伝送モードや放送モードを検出して、検出に基づき該機能をオンかオフかへ切り替えるだけで足りるが、１個の機能について複数個のユーザ選択肢があり、各放送モードにおいて有効なユーザ選択肢が異なり、かつ各放送モードにおいてどのユーザ選択肢を選択するかがユーザに委ねられている場合、これに合理的に対処する放送受信機の処理は複雑化する。
【０００８】
さらに、ユーザが選択受信放送を切替えたり、また、選択受信放送を切り替えなくても、放送モードが変更されたり、自動車の移動に伴いデジタル放送の受信環境が変化したりする場合がある。このような場合、切り替え前、変更前、及び変化前では、適正なユーザ選択であった選択肢が、切り替え後、変更後、及び変化後では、不都合なものとなることがある。
【０００９】
特許文献１〜３の放送受信機は、ユーザの好みに関係なくオン、オフ自動切替えで済ませる機能の示唆としては役立つものの、１個の機能について複数個のユーザ選択肢があり、各放送モードにおいて有効なユーザ選択肢が異なり、かつ各放送モードにおいてどのユーザ選択肢をユーザ選択するかがユーザに委ねられている状況に、合理的に対処できない。
【００１０】
本発明の目的は、このような状況に適切に対処して、各放送モードにおいてユーザ選択可能な選択肢の選択を保証しつつ、ユーザに自分の好みのユーザ選択肢を能率的に選択させることのできる放送受信機、放送受信機用制御方法及びプログラムを提供することである。
【課題を解決するための手段】
【００１１】
本発明の放送受信機は、１個の搬送周波数を割り当てられて所定の伝送モードで送信されて来る受信放送に対し、該受信放送の放送内容を出力可能となっている。本発明の放送受信機は次のものを有している。
現在選択中の受信放送の伝送モード及び該伝送モードの放送モードを検出する放送モード検出手段、
伝送モードに対して用意されている所定機能に係るユーザ選択肢の内、現在選択中の受信放送の放送モードにおいて有効であるものを有効ユーザ選択肢として選出するユーザ選択肢選出手段、及び
ユーザ選択自在のユーザ選択肢を有効ユーザ選択肢のみに制限するユーザ選択制限手段。
【００１２】
本発明の放送受信機用制御方法は次のステップを有している。
現在選択中の受信放送の伝送モード及び該伝送モードの放送モードを検出するステップ、
伝送モードに対して用意されている所定機能に係るユーザ選択肢の内、現在選択中の受信放送の放送モードにおいて有効であるものを有効ユーザ選択肢として選出するステップ、及び
ユーザ選択自在のユーザ選択肢を有効ユーザ選択肢のみに制限するステップ。
【００１３】
本発明のプログラムは、コンピュータを本発明の放送受信機の各手段として機能させる。
【発明の効果】
【００１４】
本発明によれば、ユーザは、現在選択中の受信放送の放送モードを所定の表示情報に基づき自ら把握して、知識に基づき該放送モードに対して有効と判断した複数個のユーザ選択肢の中から所望のユーザ選択肢を選択する煩雑かつ誤りの多い作業から解放される。
【００１５】
本発明によれば、ユーザには、各放送モードで有効な全部の選択肢の中から好みの選択肢の選択を保証させることができる。
【発明を実施するための最良の形態】
【００１６】
図１はＨＤ（High Definition）ラジオ１０の構成図である。ＨＤラジオ１０は、ＩＢＯＣ伝送モードの受信に対応している。アナログＦＭ放送単独のラジオ放送の放送モードは、該ラジオ放送の放送内容の出力処理においては、ＩＢＯＣ伝送モードの放送モードの中の１例として取り扱われてよく、すなわち、ＩＢＯＣ伝送モードの放送モードの中で、デジタル放送を含まない放送モードとして取り扱われてよく、ＩＢＯＣ伝送モード受信に対応しているＨＤラジオ１０は、ＩＢＯＣ伝送モードのラジオ放送と共に、アナログＦＭ放送単独のラジオ放送もオーディオ出力可能となっている。該ＨＤラジオ１０は、ＡＭチューナも装備し、ユーザの伝送モード切替えにより、ＡＭアナログ放送の放送内容を出力可能になっている。ＨＤラジオ１０は、例えば、自動車に搭載されたり、人に携帯されたりする移動タイプのものに限定されず、携帯不能でかつ家屋内に据え付けられるタイプのものであってもよい。
【００１７】
入力装置１１は、ユーザ操作され、ユーザ操作情報をメインコントローラ１２へ送る。チューナ１３は、メインコントローラ１２からの選局情報に基づき該当の受信放送を選択して、アナログ／デジタル復調部１４へ該受信放送の中間周波数信号を出力する。アナログ／デジタル復調部１４は、チューナ１３からの中間周波数信号を復調するとともに、復調信号をデジタル信号へ変換してから、所定の復号を行い、メインコントローラ１２からのオーディオ選択情報に基づき抽出した所定のオーディオ信号を音声処理・出力装置１５へ送る。アナログ／デジタル復調部１４は、また、抽出したテキストデータをメインコントローラ１２へ送る。音声処理・出力装置１５は、例えばスピーカを含み、アナログ／デジタル復調部１４からのオーディオ信号に係るオーディオを、ユーザが調整する音量で出力する。表示制御部１６は、メインコントローラ１２からの制御情報及び表示内容情報に基づき表示装置１７における表示内容及び表示態様を制御する。
【００１８】
ＩＢＯＣ伝送モードについて概略を説明する。ＩＢＯＣ伝送モードには、放送モードとして、アナログ放送部分とデジタル放送部分とを１個ずつ含むハイブリッド放送（以下、単に、「ＩＢＯＣ放送」と言う。）、デジタル放送部分単独のフルデジタル放送、１個のアナログ放送部分と複数個のデジタル放送部分とを含むＴｏｍｏｒｒｏｗ  Ｒａｄｉｏ放送（以下、「ＴＲ放送」と言う。）、野球中継のようにリアルタイム性が重視される放送内容に対してアナログ音声を優先的に出力させるＮｏｎ−Ｄｅｌａｙ放送（以下、適宜、「ＢａｌｌＧａｍｅ放送」とも言う。）がある。また、ＩＢＯＣ放送局は、放送する番組内容等により放送モードを適宜、変更してもよいことになっている。
【００１９】
ＨＤラジオ１０はＩＢＯＣ伝送モード固有の機能として「受信モード切替」と呼ばれる機能を搭載しているものが存在する。ＩＢＯＣ放送では、デジタル音声とアナログ音声とがサイマルで放送されており、ＨＤラジオ１０は信号の受信状態に応じてアナログとデジタルとの音声をそれぞれフェード・イン及びフエードアウトし、これにより、ユーザに違和感のないようにスムーズな切替が行われるようになっている（後述の「ＡＵＴＯ切替」で詳述）。
【００２０】
「受信モード切替」機能は、設定パラメータ（＝ユーザ選択肢）として、「強制デジタル」、「ＡＵＴＯ（自動）切替」及び「強制アナログ」の３個を持っており、ユーザがＩＢＯＣ放送を聞いている場合には、アナログ又はデジタルの音声を自由に選択できるようになっている。なお、「ＡＵＴＯ切替」とは、ユーザがＨＤラジオ１０に対して受信電界強度レベルに基づき自動的にアナログ又はデジタルの音声を切替えることを許可する設定パラメータである。また、放送受信機によっては、「ＡＵＴＯ切替」及び「強制アナログ」の２個の設定パラメータしか持たず、「受信モード切替」機能を操作パネル上の専用キーに割り当て、該専用キーのユーザ操作により「ＡＵＴＯ切替」及び「強制アナログ」を切替えるものも存在する。「受信モード切替」機能では複数個の設定パラメータ（＝ユーザ選択肢）の中から１個が必ず設定され、ＨＤラジオ１０の初期化後では、選択された設定パラメータは、他の設定パラメータへ自動的に変更されることはなく、ユーザが、選択する設定パラメータを自ら変更することによってのみ、変更される。
【００２１】
しかし、ＩＢＯＣ伝送モードは従来の単独アナログ放送のインフラとの共存を考慮されており、ＨＤラジオ１０は従来の単独アナログ放送も受信して出力可能となっている。またＩＢＯＣ伝送モードには、前述したように、ＩＢＯＣ放送のほかにフルデジタル放送、ＴＲ放送、Ｎｏｎ−Ｄｅｌａｙ放送等、様々な放送モードが存在するので、ユーザが最適と判断して一旦、設定した「受信モード切替」機能の設定パラメータが、放送モードや（デジタル放送部分の）受信環境の変化によって、出力に支障が生じることがある。
【００２２】
例として、フルデジタル放送は、サイマル放送ではなく、デジタルのみの放送であるため、従来のアナログラジオ受信機やＨＤラジオで「受信モード切替」機能の３個の設定パラメータの中の「強制アナログ」を選択している場合に、フルデジタル放送の受信放送に同調すると、ノイズ音のみが出力される。したがって、ユーザはフルデジタル放送している放送局に選局を切替えても、放送がされていることにさえ気付かない。また、ユーザが「ＡＵＴＯ切替」や「強制デジタル」の設定パラメータを選択し、かつ放送モードがフルデジタル放送である場合に、「受信モード切替」機能の設定パラメータを「強制アナログ」に切替えると、同様にノイズ音のみが出力される状態になってしまう。
【００２３】
このような不適切な選択状態になるのを防ぐため、従来のＨＤラジオでは、ユーザ自身が、現在選択中の受信放送の放送モードの変化を把握し、現在の放送モードに対して不適切とならない複数個の設定パラメータが何であるかを自分の知識により判断して、それら設定パラメータの中から所望の１個へ適宜、切替える心要があった。
【００２４】
これに対し、ＨＤラジオ１０では、現在、ユーザ選択されている設定パラメータが不適切になっていることをユーザに知らせたり、ユーザが支障のない設定パラメータへ変更するための補助となるメッセージを通知したりする。
【００２５】
図２はＩＢＯＣ伝送モードにおける放送モードのグループ分け方法２０の説明図である。アナログ／デジタル復調部１４では、選択された受信放送に対して定期的なボーリングが行われ、該ポーリングにより、該受信放送のアナログ信号部分の受信電界強度レベルを検出するとともに、該受信放送のデジタル信号部分から復調した放送モード情報を取得する（Ｓ２１）。Ｓ２２では、該受信放送を、取得放送モード情報に基づき対応のＭ１〜Ｍ６のどれかに振り分ける。
【００２６】
Ｍ１〜Ｍ６は、例えば「受信モード切替」機能における各放送モードの有効設定パラメータに基づきグループＡ〜Ｃの３個のグループに分けられる。すなわち、Ｍ１，Ｍ２はグループＡに、Ｍ３，Ｍ４はグループＢに、また、Ｍ５，Ｍ６はグループＣに振り分けられる。グループＡは、ユーザがアナログ放送を聞くことを推奨する放送モードのグループである。グループＢは、放送モードがアナログ放送及びデジタル放送の両方を含み、ユーザが自分の好みでアナログ放送又はデジタル放送を選択することを推奨する放送モードのグループである。グループＣは、ユーザがデジタル放送を聞くことを推奨する放送モードのグループである。この場合、グループＡの放送選択時に受信モードを強制デジタルにするべきではなく、グループＣの放送受信時に受信モードを強制アナログにするべきではない。これを防ぐために、例えば、グループＡの受信放送が選択されている期間は、ユーザ選択画面では、「受信モード切替」機能に係る設定パラメータの中から、強制デジタルの設定パラメータが削除されるか、又は選択不可とされる。
【００２７】
図３はグループＡの受信放送が選択されている期間における「受信モード切替」機能の設定パラメータ選択画面を示している。タッチパネル式ディスプレイ３０は図１の表示装置１７の一例である。タッチパネル式ディスプレイ３０は、前面パネル３１においてカラータッチパネル３２とカラータッチパネル３２の下辺の下側に沿って左右方向へ配列される操作部材列とを装備している。操作部材列は、左側から右側へ矩形キー３３、円形キー３４、画面切替キー３５及び音量調節摘まみ３６から成る。
【００２８】
図３のカラータッチパネル３２はメイン画面４０及び設定パラメータ選択画面４１を含んでいる。設定パラメータ選択画面４１は、それが呼び出されると、メイン画面４０の前面側に表示され、設定パラメータ選択画面４１には、現在選択している受信放送の周波数（例：１００．１ＭＨｚ）と、現在出力している番組のテキスト情報（図３の例は、テキスト情報無しのアナログ放送単独放送を選択している状態となっている。）とが表示される。設定パラメータ選択画面４１は、「受信モード切替」機能のものであり、前述したように、「受信モード切替」機能の設定パラメータには、「強制デジタル」、「ＡＵＴＯ切替」及び「強制アナログ」の３個の設定パラメータがある。図３の設定パラメータ選択画面４１は、グループＡの受信放送が選択されている期間における設定パラメータ選択画面であり、「強制デジタル」は選択無効となっている。
【００２９】
図３は、モノクロ図面の制約上、色や濃淡が表現できないために、設定パラメータ選択画面４１における「●  強制デジタル」の文字は、選択有効な設定パラメータとは、色又は濃淡で区別せず、斜体文字で区別している。選択無効な設定パラメータは、現実の設定パラメータ選択画面４１では、例えば白抜きとか、淡色とか、無表示により表わされ、選択有効な設定パラメータに対してユーザに識別される。また、吹き出し４４を使用したメッセージ表示を行って。「強制デジタル」は、現時点では、無効な設定パラメータであることをユーザに知らせることもできる。
【００３０】
ユーザは、カラータッチパネル３２の設定パラメータ選択画面４１において選択有効な設定パラメータの領域を指でタッチすることにより、該選択有効な設定パラメータを選択することができる。
【００３１】
グループＡのアナログ放送単独の受信放送が選択されている期間では、「強制アナログ」及び「ＡＵＴＯ切替」の２個の設定パラメータが選択可能（有効）とされる。デジタル放送が存在しないにもかかわらず、「ＡＵＴＯ」の設定パラメータが選択可能になっているのは、「ＡＵＴＯ切替」では、デジタル放送が優先的に選択されるようになっているものの、デジタル放送の出力に支障がある場合には、デジタル放送からアナログ放送へ自動切替えされるようになっており、アナログ放送単独の受信放送の選択期間はこれに相当するので、「ＡＵＴＯ切替」がユーザ選択されていても、アナログ放送が支障なく出力されることになり、不都合は生じないからである。
【００３２】
グループＢの受信放送が選択されている期間の設定パラメータ選択画面４１では、「強制デジタル」、「ＡＵＴＯ切替」及び「強制アナログ」の３個の設定パラメータの全部が選択可能（有効）とされる。
【００３３】
グループＣの受信放送が選択されている期間の設定パラメータ選択画面４１では、「強制アナログ」の設定パラメータのみがユーザ選択画面から削除（非表示）、又は選択不可とされる。
【００３４】
一方、受信環境の変化、放送局による放送モードの切り替わり、又は受信放送の選択変更により現在の設定パラメータが不適切なものに陥る場合がある。例として、ユーザが弱電界などの理由で「受信モード切替」機能の設定パラメータとして「強制アナログ」を選択している状態から、別の周波数をシークしたり、デジタル放送の受信状態が変化して、ＩＢＯＣ放送の受信状態が良好となったり、番組の切り替わりによってＴＲ放送などが始まったりした場合が考えられる。この場合、「受信モード切替」機能において選択中の設定パラメータが「強制アナログ」のままでは、ユーザはデジタル放送の受信放送への切り替わりに気付くことはなく、ユーザの選択肢を狭めてしまう。これを防止するため、アナログ／デジタル復調部１４においてアナログ放送及びデジタル放送のそれぞれについて受信電界強度レベルの測定及び放送モード情報の取得を定期的に行う。そして、現在選択中の設定パラメータよりも適切な設定パラメータが存在するならば、それをユーザに速やかに通知することにする。このような通知は、例えば、表示装置１７に所定のインジケータを配備し、それを点灯させたり、メッセージを表示したりすることにより行うことが可能である。
【００３５】
「受信モード切替」機能の設定パラメータの選択について説明したが、「受信モード切替」機能以外の機能であって、各放送モード別に有効設定パラメータが異なっている機能についても、該機能における各設定パラメータと各放送モードとの関係に基づき放送モードのグループ分けを行い、そのグループごとに、不適切な設定パラメータがユーザ選択されるのを防止したり、また、ユーザ選択時は適切であっても、その後の状況変化により不適切な設定パラメータとなったために、適切な設定パラメータへ変更することをユーザに促す表示を行ったりする。こうして、ユーザは、現在、選択中の受信放送の放送モードを十分に把握していなくても、状況変化に対して適切かつ能率的な操作を実現するユーザインターフェースを提供することが可能となる。
【００３６】
「受信モード切替」機能とは別の機能における設定パラメータのユーザ選択肢について説明する。図３のタッチパネル式ディスプレイ３０のような車載用ＨＤラジオ１０の表示装置１７では、表示面積が制約され、狭い表示面積の表示装置１７への効率的な情報提示が望まれ、「ディスプレイ表示モード切替」機能が用意される。ユーザは「ディスプレイ表示モード切替」機能における設定パラメータの選択によりカラータッチパネル３２（図３）のような表示部に好みの情報を取捨選択して表示できるようになっている。また、多くの情報を同時に表示するために、４行以下の所定の行数及び各行への表示情報を設定パラメータとして選択できるようにしたＨＤラジオ１０も存在する。例えば、放送局名、ＳｏｎｇＴｉｔｌｅ（楽曲名）などのテキスト情報、ステレオ表示などのインジケータ情報、ＴＲ放送のチャンネル構成情報などの付加情報などが「ディスプレイ表示モード切替」機能の各設定パラメータとして対応付けられる。これらの情報はすべての放送モードで常に取得されるものではなく、取得できないか表示しないかの場合には、従来のＨＤラジオでは、その表示エリアに周波数情報などの基本情報を表示したり、 ブランクにしたりしていた。限られた面積の表示部に対して、何も表示しない表示エリアは無駄であり、また、ユーザはなぜ表示しないのかの理由を放送モードから理解する必要がある。
【００３７】
図４は「ディスプレイ表示モード切替」機能に係る設定パラメータ及び各設定パラメータに適用される放送モードの説明図である。ＤＡ〜ＤＥまでの各ディスプレイモード（各ディスプレイモードは１個の設定パラメータに対応する。）は、１行から４行までの範囲内でそれぞれ表示行数が決まっており、表示情報の内容も決められている。適用放送モードとは、各ディスプレイモードＤＡ〜ＤＥが有効となる、図２中のＭ１〜Ｍ６までの各放送モードのことである。大サイズの太字の各放送モードは、それと同一行のディスプレイモードが最適ディスプレイモードとなっていることを示している。
【００３８】
例えば、ＨＤラジオ１０において選択受信放送の放送モードがＩＢＯＣ放送である場合、ディスプレイモードＤＡ〜ＤＤのみが有効ディスプレイモードとなる。また、選択受信放送の放送モードがＩＢＯＣ放送である場合に、ＤＡ，ＤＢ，ＤＤ をユーザが選択していたら、最適なディスプレイモードはＤＣであることをインジケータやメッセージなどでユーザへ通知する。
【００３９】
選択受信放送は変更しないにもかかわらす、該選択受信放送の放送モードが、ＩＢＯＣ放送からＴＲ放送に切り替わると、ＤＡ〜ＤＥが有効ディスプレイモードとされ、この旨及び最適なデイスブレイモードがＤＢであることがインジケータやメッセージなどでユーザへ通知される。このような作動は、ユーザ選択する設定パラメータを過剰に制限することなく、ユーザが、ユーザ選択可能な設定パラメータに対するユーザ選択の余地を確保しつつ、各放送モードに対して最適な設定パラメータをユーザ選択するように誘導するとともに、不適切な設定パラメータが選択されることを回避する。
【００４０】
図５は放送受信機５５の機能ブロック図である。放送受信機５５は、１個の搬送周波数を割り当てられて所定の伝送モードで送信されて来る受信放送に対し、該受信放送の放送内容を出力可能となっている。放送受信機５５は、放送モード検出手段５６、選択肢選出手段５７及びユーザ選択制限手段５８を有している。放送モード検出手段５６は、現在選択中の受信放送の伝送モード及び該伝送モードの放送モードを検出する。選択肢選出手段５７は、伝送モードに対して用意されている所定機能に係るユーザ選択肢の内、現在選択中の受信放送の放送モードにおいて有効であるものを有効ユーザ選択肢として選出する。ユーザ選択制限手段５８は、ユーザ選択自在のユーザ選択肢を有効ユーザ選択肢に制限する。
【００４１】
放送受信機５５の一例は、ＨＤラジオ１０（図１）である。受信放送の伝送モードとは例えばＩＢＯＣの伝送モードである。放送受信機５５は、ラジオ放送受信機に限定されず、テレビ放送受信機であってもよい。放送受信機５５は、特に自動車搭載のＨＤラジオを含む。ユーザ選択肢とは、ＨＤラジオ１０の説明において使用した設定パラメータに対応する。ユーザ選択制限手段５８による制限態様は、種々存在する。例えば、ユーザが所望のユーザ選択肢を選択するユーザ選択肢画面では、無効なユーザ選択肢は除外して有効なユーザ選択肢のみを表示してもよいし、該ユーザ選択肢画面には、有効なユーザ選択肢と共に無効なユーザ選択肢も併せて表示するが、ユーザが無効なユーザ選択肢を選択しても、それを無視するようにして、ユーザ選択制限手段５８による制限を実現してもよい。
【００４２】
放送受信機５５は、各機能についての各放送モードでのオン、オフの自動切替とは異なり、各機能について各放送モードで有効な複数個のユーザ選択肢の中からユーザに所望のユーザ選択肢をユーザ選択させるようになっている。放送受信機５５は、現在選択中の受信放送の伝送モードに用意されている機能に対して、現在の放送モードにおいて有効なユーザ選択肢を漏れなくユーザに選択可能とするので、ユーザには、現在の放送モードにおいて最大限のユーザ選択肢の中から自分の好みのものを選択できるという選択環境を保証することができる。
【００４３】
また、ユーザは、現在選択中の受信放送の放送モードを把握したり、各機能について放送モードと有効ユーザ選択肢との関係を知識としてもたなければならない負担から解放され、各機能について、現在選択している受信放送の放送モードにおいて有効なユーザ選択肢から所望のユーザ選択肢を能率的にかつ間違いが少なく選択できる。
【００４４】
放送受信機５５をさらに具体的に説明する。
【００４５】
所定の伝送モードの放送モードは、アナログ放送のみを含む第１の放送モード、アナログ放送とデジタル放送とを１個ずつ含む第２の放送モード、デジタル放送のみを含む第３の放送モード、１個のアナログ放送と複数個のデジタル放送とを含む第４の放送モード、及びアナログ放送とデジタル放送とを１個ずつ含むがアナログ放送を優先して出力するべき第５の放送モードを含む。伝送モードがＩＢＯＣ伝送モードである場合、第１の放送モードはアナログの単独放送、第２の放送モードはＩＢＯＣ放送、第３の放送モードはフルデジタル放送、第４の放送モードはＴＲ放送、第５の放送モードはＮｏｎ−Ｄｅｌａｙ放送に、それぞれ対応する。
【００４６】
所定の機能に係るユーザ選択肢は、現在選択中の受信放送の中のデジタル放送を選択して出力する強制デジタル、現在選択中の受信放送の中のアナログ放送を選択して出力する強制アナログ、及び現在選択中の受信放送の中のデジタル放送の出力に支障がなければデジタル放送をアナログ放送より優先して出力する自動（ＡＵＴＯ）切替を含む。伝送モードがＩＢＯＣ伝送モードである場合、該所定の機能とは、前述の「受信モード切替」機能である。
【００４７】
ユーザ選択肢とは、現在出力中の放送内容に係る情報を表示器に表示するときの行数に係るユーザ選択肢である。前述した図４のディスプレイモードＤＡ〜ＤＥは、表示器に表示するときの行数に係る各ユーザ選択肢に対応する。
【００４８】
放送受信機５５はさらに最推奨選択肢通知手段６１を有する。最推奨選択肢通知手段６１は、現在の放送モードに対して有効な複数個のユーザ選択肢の内、最も推奨されるユーザ選択肢をユーザに通知する。前述の図４において、適用放送モードにおける太字の放送モードに対して同一行の放送モードは、該太字の放送モードに対する推奨ユーザ選択肢としてのディスプレイモードとなっている。最推奨選択肢通知手段６１による通知は音声及び映像のいずれであってもよい。
【００４９】
放送受信機５５は、さらに、選択肢表示手段６３を有している。選択肢表示手段６３は、ユーザ選択肢のユーザ選択画面において、現在の放送モードに対して有効な複数個のユーザ選択肢について推奨順に並べて表示する。ユーザは、ユーザ選択肢のユーザ選択画面において選択肢表示手段６３により提示された推奨順を参考にして有効ユーザ選択肢についてのユーザ選択を行う。図３の設定パラメータ選択画面４１は、有効なユーザ選択肢を推奨順に上位から下位へ並べた例であり、グループＡの受信放送が選択されている期間では、推奨順の１位が「強制アナログ」であり、２位が「ＡＵＴＯ切替」となっている。これにより、各ユーザは、自分の希望するユーザ選択肢が推奨順の下位の方に存在していたら、自分の希望を押し通すのを躊躇して、推奨順で上位の方のユーザ選択肢を選択することが期待される。
【００５０】
放送受信機５５は、さらに、第１の状況変化検出手段６６及び第１の状況変化通知手段６７を有している。第１の状況変化検出手段６６は、現在選択中の受信放送の変更、現在選択中の受信放送の伝送モードの変化、又は現在選択中の受信放送の受信環境の悪化に伴い、現在、ユーザ選択されているユーザ選択肢が不適正なユーザ選択肢となったことを検出する。第１の状況変化通知手段６７は、現在、ユーザ選択されているユーザ選択肢が不適正なユーザ選択肢となったことをユーザに通知する。
【００５１】
例えば、選択する受信放送を変更する場合に、変更前及び変更後の放送モードがそれぞれフルデジタル放送及び単独アナログ放送であり、ユーザ選択中のユーザ選択肢が「強制デジタル」であるとき、変更後の放送モードでは、出力不能になる。また、現在選択中の受信放送は変更しないにもかかわらず、該受信放送の放送モードが例えばＴＲ放送からフルデジタル放送へ変化し、ユーザ選択中のユーザ選択肢が「強制アナログ」であるとき、変更後の放送モードでは、出力不能になる。さらに、例えば、現在選択中の受信放送の伝送モードがＩＢＯＣ放送であって、ユーザ選択中のユーザ選択肢が「強制デジタル」であるとき、受信電界強度の低下に伴い、アナログ放送ならば支障なく出力可能にもかかわらず、デジタル放送はその出力が不能になる。ユーザは、このような出力不能状況の出現に対し、第１の状況変化通知手段６７から通知を受け、状況変化に対応できる。第１の状況変化通知手段６７による通知は音声及び映像のいずれであってもよい。
【００５２】
放送受信機５５は、さらに、第２の状況変化検出手段７０及び第２の状況変化通知手段７１を有している。第２の状況変化検出手段７０は、現在選択中の受信放送の変更、現在選択中の受信放送の伝送モードの変化、又は現在選択中の受信放送の受信環境の改善に伴い、現在、ユーザ選択されているユーザ選択肢より適正なユーザ選択肢が出現したことを検出する。第２の状況変化通知手段７１は、現在、ユーザ選択されているユーザ選択肢より適正なユーザ選択肢が出現したことをユーザに通知する。
【００５３】
例えば、選択している受信放送を変更する場合に、変更前及び変更後の放送モードがそれぞれ単独ＩＢＯＣ及びＩＢＯＣ放送であり、ユーザ選択中のユーザ選択肢が「強制アナログ」であるとき、変更後の放送モードでは、「強制アナログ」であっても、出力に支障はないものの、ユーザ選択肢としては「自動切替」の方が、より適正なものとなる。また、現在選択中の受信放送は変更しないにもかかわらず、該受信放送の放送モードが例えばＮｏｎ−Ｄｅｌａｙ放送からＩＢＯＣ放送へ変化し、ユーザ選択中のユーザ選択肢が「強制アナログ」であるとき、変更後の放送モードでは、「強制アナログ」でも出力に支障はないものの、ユーザ選択肢としては「自動切替」の方が、より適正である。さらに、現在選択中の受信放送の伝送モードがＩＢＯＣ放送であって、ユーザ選択中のユーザ選択肢が「強制アナログ」であるとき、自動車の移動等により受信電界強度が上昇し、デジタル放送の出力が可能になると、変更後の放送モードでは、「強制アナログ」でも出力に支障はないものの、ユーザ選択肢としては「自動切替」の方が、より適正となる。ユーザは、このような状況において、第２の状況変化通知手段７１から通知を受け、状況変化に的確に対応できる。
【００５４】
放送受信機５５では、同一の伝送モードに属する複数個の放送モードを分類分けし、各分類ごとに該分類の放送モードに対して有効な複数個のユーザ選択肢を有効分類別ユーザ選択肢としてあらかじめ設定してある。選択肢選出手段５７は、現在選択中の受信放送の放送モードの分類を検出して、該分類に係る有効分類別ユーザ選択肢を有効ユーザ選択肢として選択するものである。
【００５５】
図６は放送受信機用制御方法８０のフローチャートである。放送受信機用制御方法８０は放送受信機５５に適用される。放送受信機５５では、１個の搬送周波数を割り当てられて所定の伝送モードで送信されて来る受信放送に対し、該受信放送の放送内容を出力可能となっている。
【００５６】
Ｓ８１では、現在選択中の受信放送の伝送モード及び該伝送モードの放送モードを検出する。Ｓ８２では、伝送モードに対して用意されている所定機能に係るユーザ選択肢の内、現在選択中の受信放送の放送モードにおいて有効であるものを有効ユーザ選択肢として選出する。Ｓ８３では、ユーザ選択自在のユーザ選択肢を有効ユーザ選択肢のみに制限する。
【００５７】
放送受信機用制御方法８０を具体的に説明する。現在選択中の受信放送の伝送モードがＩＢＯＣ伝送モードである場合に、放送受信機５５に適用される種々の前述の具体化事項は放送受信機用制御方法８０の具体化事項としてもそのまま適用可能である。
【００５８】
放送受信機用制御方法８０では、さらに、Ｓ８２とＳ８３との間に次の各ステップ１０１〜１０４を追加することができる。
【００５９】
ステップ１０１：現在の放送モードに対して有効な複数個のユーザ選択肢の内、最も推奨されるユーザ選択肢をユーザに通知する。
【００６０】
ステップ１０２：ユーザ選択肢のユーザ選択画面において、現在の放送モードに対して有効な複数個のユーザ選択肢について推奨順に並べて表示する。
【００６１】
ステップ１０３：現在選択中の受信放送の変更、現在選択中の受信放送の伝送モードの変化、又は現在選択中の受信放送の受信環境の悪化に伴い、現在、ユーザ選択されているユーザ選択肢が不適正なユーザ選択肢となったことを検出する。そして、現在、ユーザ選択されているユーザ選択肢が不適正なユーザ選択肢となったことをユーザに通知する。
【００６２】
ステップ１０４：現在選択中の受信放送の変更、現在選択中の受信放送の伝送モードの変化、又は現在選択中の受信放送の受信環境の改善に伴い、現在、ユーザ選択されているユーザ選択肢より適正なユーザ選択肢が出現したことを検出する。そして、現在、ユーザ選択されているユーザ選択肢より適正なユーザ選択肢が出現したことをユーザに通知する。
【００６３】
放送受信機用制御方法８０では、また、同一の伝送モードに属する複数個の放送モードを分類分けし各分類ごとに該分類の放送モードに対して有効な複数個のユーザ選択肢を有効分類別ユーザ選択肢としてあらかじめ設定しておく。そして、Ｓ８２では、現在選択中の受信放送の放送モードの分類を検出して、該分類に係る有効分類別ユーザ選択肢を有効ユーザ選択肢として選択するものとする。
【００６４】
本発明のプログラムは、放送受信機５５の各手段として機能させる。本発明のプログラムは、また、コンピュータに放送受信機用制御方法８０の各ステップをコンピュータに実現させる。
【００６５】
本発明を最良の形態について説明したが、本発明は、これに限定されず、要旨の範囲内で種々の形態により実施可能であることは言うまでもない。
【図面の簡単な説明】
【００６６】
【図１】ＨＤラジオの構成図である。
【図２】ＩＢＯＣ伝送モードにおける放送モードのグループ分け方法の説明図である。
【図３】グループＡの受信放送が選択されている期間における「受信モード切替」機能の設定パラメータ選択画面を示す図である。
【図４】「ディスプレイ表示モード切替」機能に係る設定パラメータ及び各設定パラメータに適用される放送モードを説明する図である。
【図５】放送受信機の機能ブロック図である。
【図６】放送受信機用制御方法のフローチャートである。
【符号の説明】
【００６７】
５５：放送受信機、５６：放送モード検出手段、５７：選択肢選出手段、５８：ユーザ選択制限手段、６１：最推奨選択肢通知手段、６３：選択肢表示手段、６６：第１の状況変化検出手段、６７：第１の状況変化通知手段、７０：第２の状況変化検出手段、７１：第２の状況変化通知手段、８０：放送受信機用制御方法。
【図１】
2006319911.tif 000003
【図２】
2006319911.tif 000004
【図３】
2006319911.tif 000005
【図４】
2006319911.tif 000006
【図５】
2006319911.tif 000007
【図６】
2006319911.tif 000008